(57)【要約】【課題】厚みを薄くしつつ補強を行えるパネルを提供する。【解決手段】平板１８Ａの裏面に互いに交差する第１リブ（縦リブ１８Ｂ）、及び第２リブ（横リブ１８Ｃ）を設け、複数の横リブ１８Ｃのうち、高さ寸法の小さい低第２リブ（低横リブ１８Ｃａ）に補強部材２８を取り付ける。補強部材２８は、低第２リブの側面に配置される第１片２８Ａと、低第２リブの頂部よりも平板１８Ａの裏面から離れる側に配置される第２片２８Ｂとを含んで構成する。補強部材２８の第１片２８Ａには、第１リブが入り込む補強部材凹部３４を形成する。第１リブの低第２リブと交差する部分には、補強部材２８の第２片２８Ｂが入り込むリブ凹部３２を形成する。【選択図】図３
2018044327.tif 000002
【特許請求の範囲】
【請求項１】
平板と、
前記平板の裏面に突出して形成され、第１の方向に沿って延びる複数の第１リブと、
前記平板の裏面に突出して形成され、前記第１の方向と交差する第２の方向に沿って延びて前記第１リブと交差する複数の第２リブと、
前記複数の第２リブのうちの少なくとも一つに取り付けられ、前記第２リブの側面に沿って配置されると共に前記第２リブの長手方向に沿って延びる長尺状の第１片と、前記第１片の幅方向端に一体的に設けられ、前記第１片と共に前記第２リブの長手方向に沿って延び、前記第１片の幅方向に対して交差する方向を幅方向とする第２片と、を含んで構成された補強部材と、
前記補強部材の取り付けられた前記第２リブと交差する前記第１リブのうち、前記補強部材の前記第１片が面する部分に形成されたリブ凹部と、
前記補強部材に形成され、前記第１リブが入り込み、前記第１片において第２片側とは反対側の端部から前記第２片に向けて延びて前記第２片よりも手前側に底部が位置する補強部材凹部と、
を有するパネル。
【請求項２】
前記第２リブの長手方向に接続された複数枚の請求項１に記載の前記パネルを備え、
前記補強部材は、前記複数枚の前記パネルに跨って配置されている、パネル組立体。
【請求項３】
床部材と、
前記床部材の上に配置される側壁と、
前記側壁の上に配置される天井と、
を備え、
前記側壁、及び前記天井は、少なくとも一方が請求項１に記載の前記パネル、または請求項２に記載の前記パネル組立体で構成されている、ユニット式ルーム。
【発明の詳細な説明】
【技術分野】
【０００１】
本発明は、パネル、パネル組立体、及びユニット式ルームにかかり、特に、パネルの厚みを薄くしつつ補強を行えるパネル、パネル組立体、及びユニット式ルームに関する。
【背景技術】
【０００２】
複数枚のパネルを接合して組み立てられるユニット式ルームの一例としてユニットバスがあり、この種のユニットバスは、床パネル（防水パン）、壁パネル、天井パネル、ドア、床パネルに設置され天井パネルや壁パネルを支持する支柱等から構成されている。
【０００３】
一例として、ＦＲＰで形成される壁パネル（例えば、特許文献１参照）は、平板の裏面に、補強のための複数の上下方向に延びる縦リブと、横方向に延びてこれらの縦リブに交差する複数の横方向に延びる横リブとが平板と一体的に形成されており、縦リブと横リブとが同じ高さに形成されている。
【先行技術文献】
【特許文献】
【０００４】
【特許文献１】特開２００１−１４０３８６号公報
【発明の概要】
【発明が解決しようとする課題】
【０００５】
しかしながら、壁パネルの曲げ剛性を高めるために、横リブ、または縦リブに、例えば、アングル等の長尺状の補強部材を取り付けると、壁パネル全体の厚さが、平板の厚さ＋リブの高さ＋アングルの板厚となり、壁パネル全体の厚さが厚くなってしまう。このため、このように補強された壁パネルを用いたユニット式ルームの場合、ユニット式ルームの内部スペースを確保すると、ユニット式ルームの設置スペースが広くなってしまい、決まった設置スペースにユニット式ルームを設置すると、ユニット式ルームの内部スペースが狭くなってしまうという問題がある。
【０００６】
本発明は、上記問題を解決すべく成されたもので、厚みを薄くしつつ補強を行えるパネル、パネル組立体、及びユニット式ルームを提供することが目的である。
【課題を解決するための手段】
【０００７】
請求項１に記載のパネルは、平板と、前記平板の裏面に突出して形成され、第１の方向に沿って延びる複数の第１リブと、前記平板の裏面に突出して形成され、前記第１の方向と交差する第２の方向に沿って延びて前記第１リブと交差する複数の第２リブと、前記複数の第２リブのうちの少なくとも一つに取り付けられ、前記第２リブの側面に沿って配置されると共に前記第２リブの長手方向に沿って延びる長尺状の第１片と、前記第１片の幅方向端に一体的に設けられ、前記第１片と共に前記第２リブの長手方向に沿って延び、前記第１片の幅方向に対して交差する方向を幅方向とする第２片と、を含んで構成された補強部材と、前記補強部材の取り付けられた前記第２リブと交差する前記第１リブのうち、前記補強部材の前記第１片が面する部分に形成されたリブ凹部と、前記補強部材に形成され、前記第１リブが入り込み、前記第１片において第２片側とは反対側の端部から前記第２片に向けて延びて前記第２片よりも手前側に底部が位置する補強部材凹部と、を有する。
【０００８】
請求項１に記載のパネルは、長尺状の第１片と第１片の幅方向と交差する方向を幅方向とした第２片とを含んで構成された補強部材が複数の第２リブのうちの少なくとも一つに沿って取り付けられているので、補強部材が取り付けられていない場合に比較して、第２リブの長手方向の曲げ剛性を高めることができる。
【０００９】
また、補強部材は、第１片と、第１片の幅方向と交差する方向を幅方向とする第２片とを含んで構成されているので、第１片のみの場合よりも曲げ剛性が高められている。さらに、この補強部材においては、第１リブを横断するために、第１片に第１リブが入り込む補強部材凹部が形成されているが、補強部材凹部は、第１片の第２片とは反対側の端部から第２片に向けて延びて第２片よりも手前側に底部が位置しており深さが短くなっているため、補強部材凹部を該端部から第２片に到達するまで延ばした場合に比較して、補強部材は高い曲げ剛性が得られる。
【００１０】
補強部材の第１片には、第１リブが入り込む補強部材凹部が形成されているので、第１片と第２片とを含んで構成された補強部材は、複数の第１リブを横断することができる。
【００１１】
さらに、第１リブのうち、補強部材の補強部材凹部が入り込む部分は、リブ凹部が形成されて第１リブのリブ高さが低くなっているので、リブ凹部が形成されずにリブ高さが低くなっていない場合に比較して、補強部材の位置を平板側へ接近させることができる。これにより、パネルは、リブ凹部が形成されずにリブ高さが低くなっていない場合に比較して、厚みを抑えることができる。
【００１２】
請求項２に記載のパネル組立体は、前記第２リブの長手方向に接続された複数枚の請求項１に記載の前記パネルを備え、前記補強部材は、前記複数枚の前記パネルに跨って配置されている。
【００１３】
請求項２に記載のパネル組立体では、複数枚のパネルに跨って補強部材が配置されているので、パネル同士を接続する接続部材を別途必要とせずに、パネル同士をずれなく接続することができる。
【００１４】
請求項３に記載のユニット式ルームは、床部材と、前記床部材の上に配置される側壁と、前記側壁の上に配置される天井と、を備え、前記側壁、及び前記天井は、少なくとも一方が請求項１に記載の前記パネル、または請求項２に記載の前記パネル組立体で構成されている。
【００１５】
請求項３に記載のユニット式ルームは、側壁、及び天井の少なくとも一つを請求項１に記載のパネル、または請求項２に記載のパネル組立体で構成することで、補強部材を取り付けたパネル、またはパネル組立体で構成された側壁、及び天井の曲げ剛性を高めることができる。
【００１６】
なお、側壁、及び天井の全てを請求項１に記載のパネル、または請求項２に記載のパネル組立体で構成してもよい。ユニット式ルームの側壁を請求項１に記載のパネル、または請求項２に記載のパネル組立体で構成した場合、ユニット式ルームの内部スペースを確保しつつ、ユニット式ルームの設置スペースが広くなることを抑えることができる。また、ユニット式ルームの側壁を請求項１に記載のパネル、または請求項２に記載のパネル組立体で構成した場合、決まった設置スペースにユニット式ルームを設置しつつ、ユニット式ルームの内部スペースが狭くなることを抑えることができる。
【発明の効果】
【００１７】
以上説明したように本発明のパネル、及びパネル組立体によれば、厚みを薄くしつつ補強を行える、という優れた効果を有する。
また、本発明のユニット式ルームによれば、設置スペースが広くなること、またはユニット式ルームの内部スペースが狭くなることを抑えることができる。
【図面の簡単な説明】
【００１８】
【図１】ユニットバスの一例を示す分解斜視図である。
【図２】補強部材と壁パネルとを示す分解斜視図である。
【図３】（Ａ）は補強部材の取り付けられた壁パネルを示す縦断面図であり、（Ｂ）は図３（Ａ）に示す壁パネルの３（Ｂ）−３（Ｂ）線断面図である。
【図４】第２の実施形態に係る壁パネル組立体を示す分解斜視図である。
【図５】図４に示す壁パネル組立体の接続部を示す斜視図である。
【図６】（Ａ）は第３の実施形態に係る壁パネルを示す縦断面図であり、（Ｂ）は図６（Ａ）に示す壁パネルの６（Ｂ）−３（Ｂ）線断面図である。
【図７】（Ａ）は第４の実施形態に係る壁パネルを示す縦断面図であり、（Ｂ）は図７（Ａ）に示す壁パネルの７（Ｂ）−７（Ｂ）線断面図である。
【図８】（Ａ）は、第５の実施形態に係る補強部材で補強された壁パネルを示す縦断面図であり、（Ｂ）は、図６（Ａ）に示す壁パネルを示す６（Ｂ）−６（Ｂ）線断面図である。
【図９】（Ａ）は、第６の実施形態に係る補強部材で補強された壁パネルを示す縦断面図であり、（Ｂ）は、図７（Ａ）に示す壁パネルを示す６（Ｂ）−６（Ｂ）線断面図である。
【発明を実施するための形態】
【００１９】
［第１の実施形態］
以下、図１乃至図３にしたがって、本発明が適用されたユニットバス１０の第１の実施形態を説明する。図１には、本実施形態のユニットバス１０の概略構成が分解斜視図にて示されている。
（ユニットバスの全体構成）
図１に示すように、本実施形態のユニットバス１０は、浴槽１２Ａと床１２Ｂとが互いに組みつけられて一体となった浴槽一体床パネル１２を備えている。浴槽一体床パネル１２の外周部分には、外周全体に上方へ延びるフランジ１２Ｃが一体的に形成されている。
【００２０】
浴槽一体床パネル１２の各コーナー部分には、フランジ１２Ｃの内側にそれぞれ中空の支柱１４が固定されており、支柱１４の上部には天井パネル１６が固定されている。浴槽一体床パネル１２の上には、支柱１４間に壁パネル１８，２０，２２，２４が垂直に配置されて支柱１４に固定されている。なお、壁パネル２４の側部にはドア２６が配置されている。
【００２１】
図１では、壁パネル１８，２０，２２，２４が浴槽一体床パネル１２の外側に記載されているが、これら壁パネル１８，２０，２２，２４は、実際の施工時においては、浴槽一体床パネル１２の上に載せられ、室内側からフランジ１２Ｃの内側の支柱１４間に配置される。本実施形態の浴槽一体床パネル１２、天井パネル１６、及び壁パネル１８，２０，２２，２４は、ＦＲＰ（ガラス繊維強化プラスチック）で形成されている。
【００２２】
（壁パネルの構造）
以下に、代表して壁パネル１８の構造を説明する。
壁パネル１８は、矩形状に形成された平板１８Ａを備えており、平板１８Ａの室外側の裏面には、第１リブの一例としての縦方向に延びる複数の縦リブ１８Ｂが横方向の一端部側から横方向の他端部側にかけて略一定の間隔で形成されていると共に、横方向に延びると共に縦リブ１８Ｂと接続する第２リブの一例としての複数の横リブ１８Ｃが上下方向の一端部側から上下方向の他端部側にかけて略一定の間隔で形成されている。言い換えれば、壁パネル１８には、平板１８Ａの裏面に、複数の縦リブ１８Ｂと複数の横リブ１８Ｃとが格子状に形成されている。また、平板１８Ａの裏面には、幅方向の一端部、及び他端部に、縦方向に延びるリブ状縦フランジ１８Ｄが形成され、上下方向の一端部、及び他端部に、横方向に延びるリブ状横フランジ１８Ｅが形成されている。
【００２３】
ここで、縦リブ１８Ｂと、リブ状縦フランジ１８Ｄと、リブ状横フランジ１８Ｅと、後述する補強部材２８が取り付けられる低横リブ１８Ｃａ以外の横リブ１８Ｃは、同じ突出高さに形成されている。
【００２４】
図１、及び図２に示すように、上下方向中央付近の低横リブ１８Ｃａには、全長に渡って補強部材２８が取り付けられている。補強部材２８が取り付けられる低横リブ１８Ｃａは、他の横リブ１８Ｃよりも低く形成されている。補強部材２８は、低横リブ１８Ｃａの側面１９に沿って配置されると共に低横リブ１８Ｃａの長手方向に沿って延びる長尺状の第１片２８Ａと、第１片２８Ａの幅方向端に一体的に設けられ、第１片２８Ａと共に低横リブ１８Ｃａの長手方向に沿って延び、第１片２８Ａの幅方向に対して９０°の方向を幅方向とし、平板１８Ａと平行、かつ低横リブ１８Ｃａの頂部２１に沿って配置された長尺状の第２片２８Ｂとを含んで構成されている。言い換えれば、本実施形態の補強部材２８は断面Ｌ字形状とされている。
【００２５】
補強部材２８は、横リブ１８Ｃよりも曲げ剛性の高い材料、例えば、メッキ鋼板から形成されている。なお、補強部材２８は、横リブ１８Ｃよりも曲げ剛性の高い材料で形成されていればよく、ステンレス鋼板等、メッキ鋼板以外の材料から形成されていても良い。
【００２６】
図２、及び図３に示すように、補強部材２８は、第１片２８Ａが低横リブ１８Ｃａの上側の側面１９に密着するように、ネジ３０で低横リブ１８Ｃａに固定されている。また、補強部材２８が低横リブ１８Ｃａに固定された状態では、図３（Ａ）に示すように、低横リブ１８Ｃａの頂部２１に、補強部材２８の第２片２８Ｂの側面が当接している。ここで、低横リブ１８Ｃａの頂部２１に、補強部材２８の第２片２８Ｂの側面を当接させるために、低横リブ１８Ｃａと接続する縦リブ１８Ｂには切欠状のリブ凹部３２が形成されている。縦リブ１８Ｂのリブ凹部３２の形成されている部分は、低横リブ１８Ｃａよりも突出高さが低くなっている。
【００２７】
図２、及び図３に示すように、補強部材２８には、縦リブ１８Ｂを横断するために、縦リブ１８Ｂを逃げる切欠、言い換えればスリット状の補強部材凹部３４が第１片２８Ａに形成されている。補強部材２８は、補強部材凹部３４に縦リブ１８Ｂが嵌り込んだ状態で横リブ１８Ｃに固定されており、縦リブ１８Ｂのリブ凹部３２の形成されている部分が、補強部材２８の補強部材凹部３４に入り込み、補強部材凹部３４の底部とリブ凹部３２の底部とが接触している。なお、場合によっては、補強部材凹部３４の底部とリブ凹部３２の底部とは接触しなくてもよい。
【００２８】
なお、平板１８Ａの厚さ寸法ｔ１と、補強部材２８の取り付けられた低横リブ１８Ｃａの平板１８Ａから垂直方向に計測する突出高さ寸法ｈ１と、補強部材２８の第２片２８Ｂの厚さ寸法ｔ２とを足した寸法をＡ、平板１８Ａの厚さ寸法ｔ１と、縦リブ１８Ｂの突出高さ寸法ｈ２とを足した寸法をＢとしたときに、Ａ≦Ｂとすることが好ましく、本実施形態ではＡ＝Ｂを満足している。
【００２９】
また、本実施形態では、縦リブ１８Ｂのリブ凹部３２の形成された部分の突出高さ寸法ｈ３は、低横リブ１８Ｃａのｈ１、及び縦リブ１８Ｂの突出高さ寸法ｈ２よりも小さい。
本実施形態の壁パネル１８において、これらの寸法関係が満足されることで、補強部材２８が横リブ１８Ｃ、縦リブ１８Ｂ、リブ状縦フランジ１８Ｄ、及びリブ状横フランジ１８Ｅの頂部からパネル裏面側へ突出していない。
【００３０】
図１に示すように、壁パネル２０，２２，２４、及び天井パネル１６にも、壁パネル１８と同様の縦リブ、横リブ、リブ状縦フランジ、及びリブ状横フランジが形成されている。また、天井パネル１６には、壁パネル１８と同様に補強部材２８が取り付けられている。
【００３１】
（作用、効果）
次に、本実施形態の壁パネル１８の作用、効果を説明する。
本実施形態の壁パネル１８では、平板１８Ａの裏面に形成した縦リブ１８Ｂ、横リブ１８Ｃ、リブ状縦フランジ１８Ｄ、及びリブ状横フランジ１８Ｅにより、曲げ剛性が高められていると共に、メッキ鋼板からなる曲げ剛性の高い補強部材２８が設けられているため、補強部材２８が無い場合に比較して、高い曲げ剛性が得られている。
【００３２】
補強部材２８には、縦リブ１８Ｂを横断するために、第１片２８Ａに補強部材凹部３４が形成されているが、補強部材凹部３４は、第１片２８Ａにおいて第２片２８Ｂ側とは反対側の端部から第２片２８Ｂに向けて延びて第２片２８Ｂよりも手前側に底部が位置して深さが短くなっている、言い換えれば、第１片２８Ａの全幅に渡って形成されていない。したがって、補強部材２８は、第１片２８Ａにおいて第２片２８Ｂ側とは反対側の端部から第２片２８Ｂに到達するまで延ばした場合、言い換えれば、補強部材凹部３４を第１片２８Ａの全幅に渡って形成した場合に比較して、高い曲げ剛性が得られている。
【００３３】
また、本実施形態の壁パネル１８は、補強部材２８が、横リブ１８Ｃ、縦リブ１８Ｂ、リブ状縦フランジ１８Ｄ、及びリブ状横フランジ１８Ｅの頂部の何れからもパネル裏面方向に突出していないので、補強部材２８が、これらの頂部から突出している場合に比較して壁パネル１８の厚みを抑えることができる。なお、補強部材２８を取り付けた低横リブ１８Ｃａの突出高さ寸法を他の横リブ１８Ｃよりも補強部材２８の板厚分（ｔ２）低くしているが、補強部材２８の材料の剛性はＦＲＰの剛性に比較して遥かに高いので、本実施形態の壁パネル１８は、パネル全体として見て横方向の曲げ剛性は向上している。
なお、本実施形態の壁パネル１８ではＡ＝Ｂとしたが、Ａ＜Ｂとしてもよい。
【００３４】
［第２の実施形態］
次に、図４、及び図５にしたがって、複数枚の壁パネル１８を横方向に接続した壁パネル組立体３６を説明する。なお、第１の実施形態と同一構成には同一符号を付し、その説明は省略する。
図４、及び図５に示すように、本実施形態の壁パネル組立体３６は、横方向に並べた複数枚（本実施形態では２枚）の壁パネル１８を含んで構成されている。
【００３５】
本実施形態の壁パネル組立体３６は、一方の壁パネル１８のリブ状縦フランジ１８Ｄと、他方の壁パネル１８のリブ状縦フランジ１８Ｄとを互いに密着させ、２枚の壁パネル１８の幅方向長さに対応する長さに形成された１本の補強部材２８を、各々の壁パネル１８の低横リブ１８Ｃａにネジ３０で固定することで、壁パネル１８同士を接続している。
【００３６】
なお、本実施形態の壁パネル組立体３６に用いる壁パネル１８には、補強部材２８が横断するリブ状縦フランジ１８Ｄに、リブ凹部３２が形成されている。また、補強部材２８には、重なったリブ状縦フランジ１８Ｄが嵌り込む幅を有した補強部材凹部３４Ａが形成されている。
【００３７】
本実施形態では、複数枚の壁パネル１８に跨って補強部材２８が配置されているので、壁パネル１８同士の境界を起点に屈曲することを抑制することができる。
【００３８】
［第３の実施形態］
次に、図６にしたがって、第１の実施形態とは一部の構造が異なる壁パネル１８を説明する。なお、第１の実施形態と同一構成には同一符号を付し、その説明は省略する。
図６に示すように、本実施形態の壁パネル１８では、第１の実施形態の低横リブ１８Ｃａが無く、補強部材２８が縦リブ１８Ｂと同じ高さの横リブ１８Ｃに取り付けられている。
【００３９】
本実施形態の壁パネル１８においても、第１の実施形態と同様の補強部材２８を横リブ１８Ｃに取り付けているので、壁パネル１８の横方向の曲げ剛性が向上している。
【００４０】
［第４の実施形態］
次に、図７にしたがって、第１の実施形態とは一部の構造が異なる壁パネル１８を説明する。なお、第１の実施形態と同一構成には同一符号を付し、その説明は省略する。
【００４１】
図７に示すように、本実施形態の壁パネル１８では、第２片２８Ｂが、横リブ１８Ｃの頂部から突出しないように、第１の実施形態と同じ補強部材２８が横リブ１８Ｃの下側の側面に取り付けられている。このため、本実施形態の壁パネル１８も、第１の実施形態の壁パネル１８と同様に、厚みを抑えることができる。
【００４２】
［第５の実施形態］
次に、図８にしたがって、第１の実施形態とは形状の異なる補強部材３８を説明する。なお、第１の実施形態と同一構成には同一符号を付し、その説明は省略する。
図８に示すように、本実施形態の補強部材３８は、低横リブ１８Ｃａの側面１９に沿って配置されると共に低横リブ１８Ｃａの長手方向に沿って延びる長尺状の第１片３８Ａと、第１片３８Ａの幅方向端に一体的に設けられ、第１片３８Ａと共に低横リブ１８Ｃａの長手方向に沿って延び、第１片３８Ａの幅方向に対して９０°の方向を幅方向とし、平板１８Ａと平行、かつ低横リブ１８Ｃａの頂部２１に沿って配置された長尺状の第２片３８Ｂと、第２片３８Ｂの幅方向端に一体的に設けられ、第１片３８Ａと平行に設けられた長尺状の第３片３８Ｃと、を含んで構成されている。言い換えれば、本実施形態の補強部材３８は断面コ字形状とされている。
また、本実施形態の補強部材３８には、第１片３８Ａと第３片３８Ｃに補強部材凹部３４が形成されている。
本実施形態においても、第１の実施形態と同様に、壁パネル１８の厚みを抑えつつ、高い曲げ剛性が得られる。
【００４３】
［第６の実施形態］
次に、図９にしたがって、第１の実施形態とは形状の異なる補強部材４０を説明する。なお、第１の実施形態と同一構成には同一符号を付し、その説明は省略する。
図９に示すように、本実施形態の補強部材４０は、低横リブ１８Ｃａの側面１９に沿って配置されると共に低横リブ１８Ｃａの長手方向に沿って延びる長尺状の第１片４０Ａと、第１片４０Ａの幅方向端に一体的に設けられ、第１片４０Ａと共に低横リブ１８Ｃａの長手方向に沿って延び、第１片４０Ａの幅方向に対して９０°の方向を幅方向とし、平板１８Ａと平行、かつ低横リブ１８Ｃａの頂部２１に沿って配置された長尺状の第２片４０Ｂを含んで構成されている。なお、第１片４０Ａの幅方向端は、第２片４０Ｂの幅方向中央部に接続している。言い換えれば、本実施形態の補強部材４０は断面Ｔ字形状とされている。
本実施形態においても、第１の実施形態と同様に、壁パネル１８の厚みを抑えつつ、高い曲げ剛性が得られる。
【００４４】
［その他の実施形態］
本発明は、上記に限定されるものでなく、上記以外にも、その主旨を逸脱しない範囲内において種々変形して実施可能であることは勿論である。
上記実施形態では、補強部材として、断面形状がＬ字形状、コ字形状、Ｔ字形状のものを例示したが、補強部材は公知の断面形状のものを用いてもよい。
上記実施形態では、壁パネル１８をユニットバスに適用した例を説明したが、壁パネル１８は、ユニットバス等の浴室に限らず、浴槽の無いシャワールーム、トイレ等、浴室以外のユニット式ルームにも適用可能である。
また、天井パネル１６を、補強部材２８で補強した壁パネル１８と同様の構成としてもよい。
【符号の説明】
【００４５】
１０…ユニットバス（ユニット式ルーム）、１２…浴槽一体床パネル（床部材）、１６…天井パネル（天井、パネル）、１８…壁パネル（側壁、パネル）、１８Ａ…平板、１８Ｂ…縦リブ（第１リブ）、１８Ｃ…横リブ（第２リブ）、１８Ｃａ…低横リブ（低第２リブ）、２０…壁パネル（側壁、パネル）、２２…壁パネル（側壁、パネル）、２４…壁パネル（側壁、パネル）、２８…補強部材、２８Ａ…第１片、２８Ｂ…第２片、３２…リブ凹部、３４…補強部材凹部、３６…壁パネル組立体、３８…補強部材
【図１】
2018044327.tif 000003
【図２】
2018044327.tif 000004
【図３】
2018044327.tif 000005
【図４】
2018044327.tif 000006
【図５】
2018044327.tif 000007
【図６】
2018044327.tif 000008
【図７】
2018044327.tif 000009
【図８】
2018044327.tif 000010
【図９】
2018044327.tif 000011